(57)【要約】  遮光室１００６内に、保持容器１０１を収納する容器ラック１００３と、液体を分注する分注機構２００１と、試料と発光試薬との混合液を収容する反応容器１０４を同心円上に複数保持し、かつ反応容器１０４のうちの隣り合う少なくとも一組の間に、容器ラック１００３が通過可能な間隔を設けて回転する回転板１００５と、発光計測を行う光検出部２０１３と、を備えており、遮光室１００６は、容器ラック１００３を挿入可能な幅を有しかつ開閉可能に設けられた挿入口１００８を有しており、回転板１００５は、反応容器１０４が回転中に通過する領域の内側に容器ラック１００３を設置可能な領域を備え、かつ遮光室１００６が閉鎖された状態で回転可能に設けられている発光計測装置である。
2016174766.tif 000002
【特許請求の範囲】
【請求項１】
外部からの光を遮蔽する遮光室内に、
試料又は前記試料と混合されて発光反応を生じさせる発光試薬から選択される少なくとも一つを各別に収容する保持容器を収納する容器ラックと、
液体を分注する分注機構と、
前記試料と前記発光試薬との混合液を収容する反応容器を同心円上に複数保持し、かつ前記反応容器のうちの隣り合う少なくとも一組の間に、前記容器ラックが通過可能な間隔を設けて回転する回転板と、
前記回転板の開口部を介して、該開口部上に設けられる反応容器の底面と対向可能に設けられ、前記遮光室が閉鎖された状態で発光計測を行う光検出部と、を備えており、
前記遮光室は、前記容器ラックを挿入可能な幅を有しかつ開閉可能に設けられた挿入口を有しており、
前記回転板は、前記反応容器が回転中に通過する領域の内側に前記容器ラックを設置可能な領域を備え、かつ前記遮光室が閉鎖された状態で回転可能に設けられていることを特徴とする発光計測装置。
【請求項２】
前記分注機構は、前記遮光室が閉鎖された状態での分注動作が可能に設けられていることを特徴とする請求項１記載の発光計測装置。
【請求項３】
前記遮光室には、前記挿入口を閉鎖する扉が設けられており、前記扉には、該扉より幅狭の小扉が設けられていることを特徴とする請求項１記載の発光計測装置。
【請求項４】
遮光室の外部には、前記回転板を回転させる回転ダイヤルが設けられていることを特徴とする請求項１記載の発光計測装置。
【請求項５】
前記回転板の下側には前記遮光室が閉鎖された状態で開閉動作が可能なシャッターが備えられていることを特徴とする請求項１記載の発光計測装置。
【請求項６】
前記発光計測装置は、前記回転板、前記分注機構、前記光検出部及び前記シャッターをそれぞれ制御する制御部を備えていることを特徴とする請求項５記載の発光計測装置。
【請求項７】
前記保持容器には、前記試料に含まれる細胞外の物質を分解する試薬、前記試料に含まれる細胞内の物質を増加させる試薬、及び前記試料に含まれる細胞を分解する試薬からなる群から選択される少なくとも一つが収容されることを特徴とする請求項１記載の発光計測装置。
【請求項８】
前記保持容器又は前記反応容器のうちの少なくとも一方を加熱して恒温状態を保持できる恒温部を有することを特徴とする請求項１記載の発光計測装置。
【請求項９】
前記回転板の中央領域には、レールを備えた支持台が設けられており、
前記容器ラックは、前記レール上を移動可能に設けられたスライドに保持されることを特徴とする請求項１記載の発光計測装置。
【請求項１０】
前記発光計測装置には、先端に筒状体を有し、該筒状体内部の空間に供給された液体を吸引する吸引部が設けられており、
前記筒状体の内部には、該筒状体の内壁に嵌合するように、有底のフィルターが設けられていることを特徴とする請求項１記載の発光計測装置。
【請求項１１】
前記分注機構には、洗浄液を貯留した洗浄液タンクが接続されていることを特徴とする請求項１０記載の発光計測装置。
【請求項１２】
前記制御部は、前記分注機構の先端を前記筒状体の上方に移動させ、前記吸引部による吸引時には、前記洗浄液タンクから吸引した洗浄液を前記フィルター内の空間に吐出させるように制御し、前記吸引部による非吸引時には、前記洗浄液タンクから吸引した洗浄液を前記フィルター内の空間に吐出させるとともに、該フィルター上に貯留された前記洗浄液に前記分注機構の先端を導入させるように制御することを特徴とする請求項１１記載の発光計測装置。
【請求項１３】
前記制御部は、
前記保持容器内に収容された前記試薬又は前記試料の前記反応容器内への分注前に、前記分注機構の先端を前記筒状体の上方に移動させ、前記吸引部による非吸引時に、前記洗浄液タンクから吸引した洗浄液を前記フィルター内の空間に吐出させ、
前記保持容器内に収容された前記試薬又は前記試料の前記反応容器内への分注後に、前記分注機構の先端を再度前記筒状体の上方に移動させ、該フィルター上に貯留された前記洗浄液内に前記分注機構の先端を導入するように制御することを特徴とする請求項１２記載の発光計測装置。
【発明の詳細な説明】
【技術分野】
【０００１】
本発明は、発光計測により、試料中に含まれる細胞の存在の検知又は細胞数の計測を行う発光計測装置に関する。
【背景技術】
【０００２】
医薬品製造事業者は、厚生労働省により定められた日本薬局方（局方）の規格に従い、医薬品原料や中間体、最終製品の微生物学的品質を管理するため、これらに含まれる微生物（細菌・真菌）の細胞数を計測することが義務付けられている。【０００３】
細胞数の計測方法としては、一般に、所定期間の培養を経て形成されたコロニー数（ＣＦＵ  ：  Ｃｏｌｏｎｙ  Ｆｏｒｍｉｎｇ  Ｕｎｉｔ）を、目視で計測する培養法が採用されているが、培養時間に約１週間程度を要するため、原料受け入れ、中間体製造、最終製品出荷の各段階で、品質管理部門の細胞数の計測結果を待つ必要があり、事業者の経済的負荷が過大となっていた。【０００４】
培養法より迅速な計測方法として、ＡＴＰ（Ａｄｅｎｏｓｉｎｅ  ＴｒｉＰｈｏｓｐｈａｔｅ，アデノシン三リン酸）発光法が知られている。【０００５】
ＡＴＰ発光法は、試料中の生存微生物内から抽出されたＡＴＰを発光試薬と反応されて得られた発光を、光電子増倍管などの光検出部で計測し、得られた発光量から生存細胞数を見積もる方法であり（非特許文献１参照。）、光検出部近傍に試料容器を設置して計測が行われている。このため、一般的な発光計測装置の構造や感度では検出されなかった、単体の容器由来の発光が検出されることがある。【０００６】
従来、発光検出による分析方法では、試料容器を遮光環境下で保存した後、試料容器由来の発光であるバックグラウンドノイズの計測を行い、バックグラウンドノイズの低い試料容器を選定する工程を繰り返すことが行われてきた（例えば特許文献１参照。）。【０００７】
また、細菌１個相当のＡＴＰ量は、真菌や人間などの大きい細胞に含まれるＡＴＰ量と比較して微小である。このため、作業者や外部環境由来の物質が発光計測装置内に侵入して微生物汚染やＡＴＰ汚染が生じると、細菌由来のＡＴＰ量が過大に見積もられる。【０００８】
微生物汚染やＡＴＰ汚染を防止するためには、微生物の前処理や発光計測を含めた工程を、安全キャビネット等の清浄な空間に収めて行うことがよいことが知られており、細菌由来のＡＴＰ量の測定精度を高めるには、測定装置の使用空間を、このような清浄空間内に限定することが求められる。実際の作業操作性を考慮すると、作業者が工程に介することなく、自動で各工程を実施できる計測装置を、安全キャビネット内に設置できるように小型化することが求められている。【０００９】
例えば特許文献２には、複数の反応管が設置された反応ディスクの内側に、試薬庫を設置した自動化学分析装置が記載されている。また、特許文献３には、試薬ディスクと、サンプル分注チップ及び反応容器保持部材と、サンプル分注チップ及び反応容器搬送機構とを備えた分析装置が開示されている。
【先行技術文献】
【特許文献】
【００１０】
【特許文献１】特開２００８−９６３２４号公報
【特許文献２】特開平６−１７４７３０号公報
【特許文献３】特開２０１１−１５３９４６号公報
【非特許文献】
【００１１】
【非特許文献１】Ａｎａｌｙｔｉｃａｌ  Ｂｉｏｃｈｅｍｉｓｔｒｙ  第３１９巻第２８７−２９５頁，  ２００３年
【発明の概要】
【発明が解決しようとする課題】
【００１２】
特許文献１に記載されているように、バックグラウンドノイズの低い容器を事前に選定し、試料容器として用いて発光計測を行った場合でも、発光検出時には再び試料容器由来のバックグラウンドノイズが検出されることが確認された。バックグラウンドノイズが検出されると、その都度、容器内の試料や試薬の入替えや、破棄を行う必要があり、計測時間の長期化や計測作業の煩雑化を招き、また環境汚染の原因となるおそれがある。【００１３】
また特許文献２に記載された分析装置では、例えば試薬庫へ試薬ビンを収める際に、作業者の手の動線が反応ディスク上に重なり、作業者からの汚染が生じるおそれがある。さらにこの装置構成では、試薬庫に試薬ビンを収容するための作業者の動線が生じるため、試薬ビン収容のための開放面を確保する必要があり、遮光環境が十分に保たれないおそれがある。一方、特許文献３に記載されている装置では、作業者による動線が試薬ディスク等と重なり難い構成とされているものの、装置の横幅が広がり、全体的なサイズが肥大化し易くなる。【００１４】
なお、発光計測装置に空調用モータを直接取り付けた場合には、モータの振動の影響で、測定結果にノイズが生じ易くなる。一方、空調用モータ等の清浄空間維持部を発光計測装置と分離して設置し、室内全体の清浄状態を維持しようとすると、電力消費量が著しく増大する。このため、高感度な発光計測を行うには、遮光環境の維持と清浄空間の維持の両立が重要な課題となる。【００１５】
本発明は、遮光性に優れ、かつ外部環境や作業者からの汚染物質の侵入が少なく、測定対象の細胞を、高感度に計測することが可能な発光計測装置を提供することを目的とする。
【課題を解決するための手段】
【００１６】
本発明の好ましい実施形態としては、外部からの光を遮蔽する遮光室内に、試料又は前記試料と混合されて発光反応を生じさせる発光試薬から選択される少なくとも一つを各別に収容する保持容器を収納する容器ラックと、液体を分注する分注機構と、前記試料と前記発光試薬との混合液を収容する反応容器を同心円上に複数保持し、かつ前記反応容器のうちの隣り合う少なくとも一組の間に、前記容器ラックが通過可能な間隔を設けて回転する回転板と、前記回転板の開口部を介して、該開口部上に設けられる反応容器の底面と対向可能に設けられ、前記遮光室が閉鎖された状態で発光計測を行う光検出部と、を備えており、前記遮光室は、前記容器ラックを挿入可能な幅を有しかつ開閉可能に設けられた挿入口を有しており、前記回転板は、前記反応容器が回転中に通過する領域の内側に前記容器ラックを設置可能な領域を備え、かつ前記遮光室が閉鎖された状態で回転可能に設けられていることを特徴とする発光計測装置である。
【発明の効果】
【００１７】
本発明によれば、遮光性に優れ、かつ外部環境や作業者からの汚染物質の侵入が少なく、測定対象の細胞を、高感度に計測することが可能な発光計測装置を実現することができる。
【図面の簡単な説明】
【００１８】
【図１】実施形態に係る発光計測装置の一部を上方から見た状態を示す図である。
【図２】発光計測装置の内部構成を説明するための概略図である。
【図３】遮光室に容器ラックを導入するときの状態を示す図である。
【図４】遮光室に反応容器を設置するときの状態を示す図である。
【図５】遮光室内の反応容器をシャッターから廃棄する状態を示す図である。
【図６】容器ラックの近傍に恒温部を設けた発光計測装置の構成を示す図である。
【図７】回転板に恒温部を設けた発光計測装置の構成を示す図である。
【図８】発光計測装置の第１の実施形態に係る使用形態を説明するステップ図である。
【図９】光検出部により得られたフォトンカウンティングの計測値の変化を計測時間に対して示す図である。
【図１０】発光計測装置の第２の実施形態に係る使用形態を説明するステップ図である。
【図１１】発光計測装置の第３の実施形態に係る使用形態を説明するステップ図である。
【図１２】ノズル洗浄時のノズル及び吸引部の動作について説明する図である。
【発明を実施するための形態】
【００１９】
以下に、図面を用いて本発明の実施の形態を説明する。
【００２０】
以下の説明では、実施形態の発光計測装置を、ＡＴＰ発光法に適用した場合を例に説明する。
【００２１】
ＡＴＰ発光法の検出対象となるＡＴＰは、生命活動のエネルギー源となる有機化合物であり、全生物の細胞内に存在する。
【００２２】
ＡＴＰ発光法では、一般に、試料中で死んでいる微生物由来のＡＴＰを酵素で分解し、生存している微生物内のＡＴＰを界面活性剤等で抽出し、抽出されたＡＴＰを、例えばルシフェラーゼ・ルシフェリン等の発光試薬と発光反応させている。
このようにして得られた発光を、光電子増倍管などの光検出器で計測し、発光量から、試料中に含まれる生存細胞数が見積られる（非特許文献１参照。）。
【００２３】
微生物中のＡＴＰ量は細胞の大きさに依存しており、細胞サイズが小さい細菌のＡＴＰ量は約１．５×１０−１８ｍｏｌ  ＡＴＰ／ＣＦＵ（０．００１  ｆｍｏｌ／ＣＦＵ＝１  ａｍｏｌ／ＣＦＵ）である（非特許文献１参照。）。
【００２４】
現在の一般的なＡＴＰ法の検出感度は１×１０−１５〜１×１０−１６ｍｏｌ  ＡＴＰ（１〜０．１  ｆｍｏｌ）であり、細菌１個相当のＡＴＰの検出感度に達しておらず、細菌約１００〜１０００個相当する。
【００２５】
このため、一般には、ＡＴＰ法では微生物１〜１００個相当の数や存在を確認できないのが現状である。しかしながら、本発明者らは、現在のＡＴＰ発光法による検出感度の限界を超える、細菌１個相当の１×１０−１８ｍｏｌＡＴＰを検出可能な高感度の発光計測装置を開発しており、その開発過程において、これまでは誤差として扱われ、発光計測結果に反映されなかった発光現象を確認した。
【００２６】
この点について、本発明者らがさらに検討した結果、試料容器由来のバックグラウンドノイズ発生の有無は、測定環境下での発光計測装置の扉の開閉回数や開閉時間、及び試料容器への試料や試薬の導入時間に依存することを見出した。
【００２７】
すなわち、仮にバックグラウンドノイズが検出されない試料容器を選定して発光計測装置に設置しても、装置への設置後、扉の開放により、測定環境から装置内に光が侵入すると、この光を試料容器が吸収し、再び発光することで、バックグラウンドノイズが生じることが確認された。
【００２８】
特に多種類かつ多数の試料を計測する際には、従来は、扉の開閉を、測定試料の数に応じた回数行う必要があり、また装置内に設置される試料数が多くなると、その分、これらを設置するための扉の開口面積が増大する傾向にある。バックグラウンドノイズを低減するためには、試料容器の設置や破棄に要する扉の開閉回数を最小限に低減し、また扉の開口面積をできる限り小さくすることが求められる。
【００２９】
図１は、実施形態に係る発光計測装置の一部を上方から見た状態を示す図であり、図２は、発光計測装置の内部構成を説明するための概略図である。
【００３０】
なお、以下の説明においては、「試料」とは、検査対象となる細菌や真菌等の微生物を含む液状体であり、「試薬」とは、これらの微生物に含まれるＡＴＰと反応して発光する発光試薬、細胞を分解してＡＴＰを抽出するＡＴＰ抽出試薬、生存細胞外に存在するＡＴＰを分解するＡＴＰ消去試薬、細胞内に含まれるＡＴＰを増加させる試薬を包含するものである。
【００３１】
図１に示すように、発光計測装置は、遮光室１００６内に、回転板１００５と、回転板１００５の中心領域に設置された容器ラック１００３とが設けられている。
【００３２】
容器ラック１００３には、試料又は発光試薬から選択される少なくとも一つを保持する保持容器１０１を設置するための保持容器設置部１００１が設けられている。
【００３３】
また、回転板１００５には、容器ラック１００３の設置領域を囲むように、反応容器１０４（Ｎｏ．１〜Ｎｏ．１６）を設置するための反応容器設置部１００４（Ｎｏ．１〜Ｎｏ．１６）が、回転板１００５の外周に沿って全部で１６個設けられている。各反応容器設置部１００４（Ｎｏ．１〜Ｎｏ．１６）の底面には、それぞれ開口部２００２が設けられており（図２参照。）、各反応容器設置部１００４（Ｎｏ．１〜Ｎｏ．１６）には、その外周を囲むように、集光鏡１０１３が設けられている（図２参照。）。
【００３４】
反応容器１０４（Ｎｏ．１〜Ｎｏ．１６）は、保持容器１０１から分注される、試料又は発光試薬のうちの少なくとも一方と、他方との混合液を収容するものであり、隣接する反応容器設置部１００４  Ｎｏ．１と反応容器設置部１００４  Ｎｏ．１６との間には、容器ラック１００３の幅よりやや幅広の間隔１００７が設けられている。
【００３５】
容器ラック１００３は、図２に示すように、支持台４００３上に設けられたレール４００２の上を移動するスライド４００１と一体となるように設けられている。容器ラック１００３は、スライド４００１をレール４００２上で移動させることで、反応容器１０４  Ｎｏ．１と反応容器１０４Ｎｏ．１６との間の間隔１００７を通って挿入口１００８から遮光室１００６の外に引き出され、また、スライド４００１を回転板１００５側に移動させることで、再度、反応容器設置部１００４（Ｎｏ．１〜Ｎｏ．１６）の内側の領域に設置されるように設けられている。
【００３６】
遮光室１００６に設けられた挿入口１００８には、挿入口１００８を閉鎖するための扉１００９が、開閉可能に設けられている。扉１００９は、挿入口１００８全体を閉鎖できるように設けられており、扉１００９の中央領域には、さらに、扉１００９より幅狭の小扉１０１０が開閉可能に設けられている。
【００３７】
図２に示すように、遮光室１００６内には、回転板１００５の上方に、液体の分注機能を有する分注機構２００１が設けられている。
【００３８】
分注機構２００１は、液体の吸引及び吐出を行うノズル２００４と、ノズル２００４を図２中矢印ｘ方向（図２中左右方向）又は矢印ｚ方向（図２中上下方向）に移動させるアーム２００５を有している。
【００３９】
分注機構２００１は、制御部２０２０によりアーム２００５の動きが制御されるように構成されている。保持容器１０１内の試料又は試薬を反応容器１０４に分注する際は、まず、制御部２０２０によりアーム２００５を矢印ｘ方向に駆動して、ノズル２００４の先端を保持容器１０１の上方に移動させた後、アーム２００５を矢印ｚ方向に駆動して、ノズル２００４の先端を保持容器１０１内に導入し、保持容器１０１内の試料又は試薬を吸引する。次いで、制御部２０２０によりアーム２００５を矢印ｘ方向に駆動し、ノズル２００４を反応容器１０４の上方に移動させた後、アーム２００５を矢印ｚ方向に駆動し、ノズル２００４の先端を反応容器１０４内に導入して、ノズル２００４内に吸引された試料又は試薬を反応容器１０４内に吐出する。なお、制御部２０２０は、遮光室１００６外に設けられた不図示のコントローラにより適宜操作可能に構成されている。
【００４０】
回転板１００５の下側には、回転板支持板１１００が設置されている。回転板支持板１１００は、回転板１００５を支柱回避孔４００５において貫通するように設けられた支柱４００４により、支持台４００３に吊設されており、回転板１００５の中心領域の下側（支持台４００３の下側）には、回転板支持板１１００を貫通するように、回転板回転部２０１４が設けられている。
【００４１】
回転板回転部２０１４は、制御部２０２０により回転動作が制御可能に構成されており、回転板回転部２０１４の回転に伴い回転板１００５が回転する。
【００４２】
図１に示すように、遮光室１００６の外側には、回転ダイヤル１０１２が設けられている。回転板回転部２０１４及び回転板１００５は、回転ダイヤル１０１２による操作によっても回転駆動可能に構成されている。
【００４３】
回転板支持板１１００の下側には、発光計測を行う光検出部２００３が設けられている。光検出部２００３は、回転板１００５の各反応容器設置部１００４（Ｎｏ．１〜Ｎｏ．１６）の底面に設けられた開口部２００２を介して、この開口部２００２上に設置される反応容器１０４の底面と対向可能に設けられており、制御部２０２０により、発光計測動作を制御可能に構成されている。
【００４４】
回転板支持板１１００の形成材料は特に限定されないが、回転板支持板１１００の光検出部２００３と対向する領域は、光透過性を有する光検出部保護材２０１３で形成されている。
【００４５】
回転板支持板１１００には、制御部２０２０により開閉動作を制御可能に構成されたシャッター１０１１が設けられており、シャッター１０１１の下側には、シャッター１０１１の開放時に、回転板１００５の開口部２００２から落下する反応容器１０４を収容する反応廃棄ボックス２０１２が設けられている。
【００４６】
スライド４００１上には、例えば図６に示すように、容器ラック１００３と隣接するように、保持容器１０１を加熱して恒温状態を維持する恒温部９００１を設けることができる。図６では、恒温部９００１を、容器ラック１００３に隣接するように設けたが、恒温部９００１は、例えばスライド４００１の側面に設置することも可能である。
【００４７】
また、回転板１００５の外周側、すなわち反応容器設置部１００４にも、例えば図７に示すように、適宜反応容器１０４を加熱して恒温状態を維持する恒温部１１００１を設けることができる。
【００４８】
なお、恒温部９００１及び恒温部１１００１は、図２には示していないが、恒温部９００１及び恒温部１１００１も、上記した光検出部２００３等と同様、制御部２０２０により加熱動作を制御可能に構成することができる。
【００４９】
遮光室１００６内には、筒状体２００６が設けられており、筒状体２００６の内側には、筒状体２００６の内壁に嵌合するように、有底のフィルター２００７が設けられている。
【００５０】
筒状体２００６は、遮光室１００６の外部に設けられ、制御部２０２０により吸引動作を制御可能に構成された吸引部２００８とチューブ２０２１で接続されている。
【００５１】
フィルター２００７の種類は特に限定されないが、筒状体２００６内に供給される液体の種類に応じて、適宜目粗さを選択して用いることで、吸引部２００８による非吸引時には、筒状体２００６内に供給された液体がフィルター２００７上に貯留され、吸引部２００８による吸引時には、筒状体２００６内に供給された液体がフィルター２００７を通過し、遮光室１００６の外部に排出されるようにすることができる。
【００５２】
遮光室１００６内には、隔壁２０２２を隔てて回転板１００５と隣接する空間に、洗浄液を貯留した洗浄液タンク２０１１が設置されている。洗浄液タンク２０１１内に設置された吸引管２０２３は、三方弁２００９を介して、ノズル２００４と接続されており、三方弁２００９には、さらにシリンジ２０１０が接続されている。三方弁２００９は、制御部２０２０により切替動作を制御可能に構成されており、シリンジ２０１０は、制御部２０２０により、押出し動作及び引込み動作を制御可能に構成されている。
【００５３】
本実施形態の発光計測装置によれば、回転板１００５の回転、ノズル２００４の移動、及び光検出部２００３の発光計測動作を、遮光室１００６の挿入口１００８を閉鎖したまま行うことができるため、挿入口１００８の開閉回数を低減することができる。このため、測定環境からの迷光の侵入回数及び侵入量が低減され、試料容器由来の発光（バックグラウンドノイズ）を防止することができる。また、遮光室１００６内に作業者の手を入れて行うことが必要な工程が低減されるため、作業者からの汚染が防止され、試料中の測定対象の細胞由来物質を、高感度で発光計測することが可能となる。また、装置全体を小型化し易いため、遮光管理や清浄度管理を行い易く、光の侵入や汚染物質の侵入が抑制された高感度での発光計測が可能となる。
【００５４】
また、本実施形態の発光計測装置は、扉１００９に、扉１００９より幅狭の小扉１０１０が設けられているため、挿入口１００８から遮光室１００６内に容器ラック１００３を挿入して扉１００９を閉じた後、反応容器１０４を、小扉１０１０から遮光室１００６内に設置することができる。このため、扉１００９や小扉１０１０の開閉回数や挿入口１００８の開放面積を、必要最小限に止めることができ、測定環境からの光の侵入を大幅に低減することができる。
【００５５】
また、本実施形態の発光計測装置は、回転板１００５の下側に、開閉可能に構成されたシャッター１０１１が備えられているため、挿入口１００８を閉鎖したまま、発光計測終了後の反応容器１０４を回転板１００５の下に廃棄することができる。このため、反応容器１０４の廃棄に伴う挿入口１００８の開閉回数や開放時間を低減することができ、測定環境からの光の侵入が低減され、また作業者からの汚染が防止される。
【００５６】
また、実施形態の発光計測装置は、保持容器１０１に、ＡＴＰ抽出試薬、ＡＴＰ消去試薬、又は細胞内に含まれるＡＴＰを増加させる試薬からなる群から選択される少なくとも一つを収容して容器ラック１００３に収納することで、容器ラック１００３を遮光室１００６内に設置して挿入口１００８を閉鎖した後は、遮光室１００６内で、作業者の手を介することなく、遮光環境と清浄空間を保持したまま、複数の前処理を行うことが可能である。このため、前処理を行うときの、測定環境からの光の侵入が低減され、また作業者からの汚染が防止される。
【００５７】
また、実施形態の発光計測装置によれば、恒温部９００１又は恒温部１１００１を有しているため、遮光室１００３内で、作業者の手を介することなく遮光環境と清浄空間を保持したまま、複数の前処理を行うことが可能である。このため、前処理を行うときの、測定環境からの光の侵入が低減され、また作業者からの汚染が防止される。
【００５８】
（第１の実施形態）  
以下に、図１〜５に示す発光計測装置を用いた第１の実施形態に係る発光計測方法について、図８に沿って説明する。
【００５９】
第１の実施形態は、まず容器ラック１００３に設置される保持容器１０１に試薬又は試料のうちの一方を収容し、回転板１００５上に保持される反応容器１０４に他方を収容した後、保持容器１０１内の試薬又は試料を、反応容器１０４内に分注する形態である。
【００６０】
すなわち、第１の実施形態は、容器ラック１００３上に、試薬が収容された保管容器１０１を設置し、回転板１００５上に、試料が収容された反応容器１０４を設置し、挿入口１００８を閉鎖後、保持容器１０１内の試薬を、反応容器１０４内に分注する形態、又は容器ラック１０３上に、試料が収容された保管容器１０１を設置し、回転板１００５上に、試薬が収容された反応容器１０４を設置しておき、挿入口１００８を閉鎖後、保管容器１０１内の試料を、反応容器１０４内に分注する形態である。
【００６１】
作業者は、まず以下の手順で試薬と試料を遮光室１００６にセットする。  
まず、保持容器１０１内に試薬又は試料を収容し、この保持容器１０１を、容器ラック１００３へ収める（ステップ３００１）。
【００６２】
次いで、図４に示すように、この容器ラック１００３を遮光室１００６内に設置する。まず、遮光室１００６の扉１００９を開く（ステップ３００２）。スライド４００１をレール４００２上で移動させて挿入口１００８から引き出し、スライド４００１上へ容器ラック１００３を載せる。容器ラック１００３を載せた状態で、スライド４００１を挿入口１００８側に押し込み、レール４００２上を移動させて、容器ラック１００３を挿入口１００８から間隔１００７を有する反応容器１０４の間を通過させ、反応容器１０４が回転中に通過する領域の内側に設置する（ステップ３００３）。扉１００９を閉じる（ステップ３００４）。
【００６３】
次いで、遮光室１００６内に、反応容器１０４を設置する。  
まず、反応容器１０４内に、試薬又は試料を収容する。本実施形態では、保持容器１０１に試薬を収容した場合には、反応容器１０４内には試料を収容し、保持容器１０１内に試料を収容した場合には、反応容器１０４内に試薬を収容する。以下の説明では、保持容器１０１内に、試薬として発光試薬を収容し、反応容器１０４内に試料を収容した場合について説明する。
【００６４】
次に、図４に示すように、遮光室１００６の小型扉１０１０を開く（ステップ３００５）。回転ダイヤル１０１２で回転板１００５を回転させる（ステップ３００６）。試料が収容された反応容器１０４  Ｎｏ．１を反応容器設置部１００４  Ｎｏ．１に設置する（ステップ３００７）。再び回転ダイヤル１０１２で回転板１００５を回転させ、反応容器１０４  Ｎｏ．２を反応容器設置部１００４  Ｎｏ．２に設置する。これを反応容器１０４の個数分繰り返す。その後、小型扉１０１０を閉じる（ステップ３００８）。
【００６５】
次いで、作業者が発光計測を開始することで、以下のステップ（３０１０）〜（３０２２）は、制御部２０２０により自動で実行される（ステップ３００９）。
【００６６】
回転板１００５は、反応容器１０４  Ｎｏ．１が光検出部２００３上へ位置するように回転する（ステップ３０１０）。光検出部２００３は、反応容器１０４  Ｎｏ．１のバックグラウンドノイズを計測する（ステップ３０１１）。
【００６７】
［バックグラウンドノイズが検出されない場合］  
図９に、光検出部２００３により得られたフォトンカウンティングの計測値の計測時間に対する変化を示す。
【００６８】
実線で示される例のように、光検出部２００３による計測開始から、発光試薬と試料の混合まで、バックグラウンドノイズが検出されなかった場合は、検出部の暗電流とバックグラウンドの合計値は低い水準で一定値を示している。バックグラウンドノイズが検出されない場合、反応容器１０４  Ｎｏ．１は、そのままの位置に留まる（ステップ３０１２）。
【００６９】
分注機構２００１は、制御部２０２０により制御されて、容器ラック１００３の保持容器１０１内の発光試薬を分取し、反応容器１０４  Ｎｏ．１へ分注する（ステップ３０１３）。
【００７０】
発光試薬と反応容器１０４内の試料との混合により生じた発光は、光検出部２００３で計測される（ステップ３０１４）。発光計測完了後、回転板１００５は、反応容器１０４  Ｎｏ．２が光検出部２００３上へ位置するように回転する（ステップ３０１５）。再び、バックグラウンドノイズを計測する。これをＮｏ．１６まで繰り返す。
【００７１】
［バックグラウンドノイズが検出された場合］  
一方、光検出部２００３による計測開始から、発光試薬と試料との混合までの間にノイズが検出された場合は、図９に複数の破線で示される例のように、検出部の暗電流とバックグラウンドの合計は、高い水準で一定となったり、又は減少したりして変動する。
【００７２】
ノイズが検出された場合は（ステップ３０１６）、回転板１００５は、反応容器１０４  Ｎｏ．２が光検出部２００３上へ位置するように回転し（ステップ３０１５）、反応容器１０４  Ｎｏ．２を退避させる。光検出部２００３は、反応容器１０４  Ｎｏ．２のバックグラウンドノイズを計測する（ステップ３０１１）。ノイズが検出されなかった場合（ステップ３０１２）、分注機構２００１は、制御部２０２０により制御されて、容器ラック１００３の保持容器１０１内の発光試薬を分取し、反応容器１０４  Ｎｏ．２へ分注する  （ステップ３０１３）。発光試薬と反応容器１０４内の試料との混合により生じた発光は、光検出部２００３で計測される（ステップ３０１４）。計測完了後、未計測の退避させた反応容器１０４  Ｎｏ．１があるため（ステップ３０１７）、回転板１００５は、退避させた反応容器１０４  Ｎｏ．１が光検出部２００３上に位置するように回転して戻す（ステップ３０１８）。再びバックグラウンドノイズを計測する  （ステップ３０１１）。これを反応容器１０４  Ｎｏ．１６まで繰り返す。
【００７３】
次いで、計測が完了した反応容器を廃棄する（図５参照。）。  
発光計測が完了した反応容器１０４  Ｎｏ．１以降がシャッター１０１１上へ達した時点で（ステップ３０１９）、シャッター１０１１が開き（ステップ３０２０）、反応容器１０４  Ｎｏ．１は、廃棄ボックス２０１２内へ廃棄される（ステップ３０２１）。
【００７４】
反応容器１０４Ｎｏ．１〜Ｎｏ．１６の全ての発光計測と廃棄が終了して、全工程が終了する（ステップ３０２２）。
【００７５】
（第２の実施形態）  
以下に、図１〜６に示す発光計測装置を用いた第２の実施形態に係る発光計測方法について、図１０に沿って説明する。
【００７６】
第２の実施形態は、試薬及び試料をそれぞれ各別に、保管容器１０１に収容して容器ラック１００３に設置し、反応容器１０４を空の状態のまま回転板１００５に設置する形態である。
【００７７】
第２の実施形態では、容器ラック１００３中で、発光試薬以外の試薬と試料とを混合して前処理し、これと同時に反応容器１０４のバックグラウンドのチェックを行う。
【００７８】
すなわち、第２の実施形態は、容器ラック１００３上に、発光試薬が収容された第１の保持容器１０１ａと、ＡＴＰ消去試薬が収容された第２の保持容器１０１ｂと、ＡＴＰ抽出試薬が収容された第３の保管容器１０１ｃと、微生物試料が収容された第４の保持容器１０１ｄと、を設置しておき（図６参照。）、回転板１００５上に、空の反応容器１０４を設置しておき、挿入口１００８を閉鎖後、第２の保持容器１０１ｂのＡＴＰ消去試薬及び第３の保持容器１０１ｃ内のＡＴＰ抽出試薬と、第４の保持容器１０１ｄ内の微生物試料とを容器ラック１００３上で混合して前処理すると同時に、反応容器１０４のバックグラウンドチェックを行った後、前処理後の混合液を、空の反応容器１０４に分注する形態である。
【００７９】
本実施形態では、容器ラック１００３上での試料の前処理と並行して、反応容器１０４のバックグラウンドノイズの検出を行うことができるため、発光計測を効率的に行うことができる。
【００８０】
また、本実施形態では、少数の微生物と共存する各種薬剤感受性の時間変化を評価するため、高頻度で微生物試料を入れ替える必要がある際に利用しやすい。また多種類の微生物試料を取り扱う際に利用しやすい。
【００８１】
作業者は、まず以下の手順で試薬と試料を遮光室１００６にセットする。  
まず、第１の保持容器１０１ａに発光試薬を収容し、第２の保持容器１０１ｂにＡＴＰ消去試薬を収容し、第３の保持容器１０１ｃにＡＴＰ抽出試薬を収容し、第４の保持容器１０１ｄに各種の微生物試料を収容し、これら第１の保持容器１０１ａ〜第４の保持容器１０１ｄを、容器ラック１００３へ収める（ステップ８００１）。
【００８２】
次いで、この容器ラック１００３を、遮光室１００６内に設置する。まず、図３に示すように、遮光室１００６の扉１００９を開く（ステップ８００２）。
【００８３】
第１の実施形態と同様にして容器ラック１００３を挿入口１００８から引き出し、スライド４００１上へ容器ラック１００３を載せる。容器ラック１００３を載せた状態で、スライド４００１を挿入口１００８側に押し込み、レール４００２上を移動させて、容器ラック１００３を挿入口１００８から間隔１００７を有する反応容器１０４の間（反応容器１０４  Ｎｏ．１と反応容器１０４  Ｎｏ．１６との間）を通過させ、反応容器１０４が回転中に通過する領域の内側に設置する  （ステップ８００３）。扉１００９を閉じる  （ステップ８００４）。
【００８４】
次いで、遮光室１００６内に、反応容器１０４を設置する。まず、図４に示すように、遮光室１００６の小型扉１０１０を開く（ステップ８００５）。回転ダイヤル１０１２で回転板１００５を回転させる（ステップ８００６）。空の反応容器１０４  Ｎｏ．１を反応容器設置部１００４  Ｎｏ．１に設置する（ステップ８００７）。再び回転ダイヤル１０１２で回転板１００５を回転させ、空の反応容器１０４  Ｎｏ．２を反応容器設置部１００４  Ｎｏ．２に設置する。これを反応容器１０４の個数分繰り返す。
その後、小型扉１０１０を閉じる（ステップ８００８）。
【００８５】
次いで、作業者が発光計測を開始することで、以下のステップ（８０１０）〜（８０２５）は、制御部２０２０により自動で実行される（ステップ８００９）。  
分注機構２００１は、制御部２０２０により制御されて、容器ラック１００３の第２の保持容器１０１ｂ内のＡＴＰ消去試薬を分取し、第４の保持容器１０１ｄ内の微生物試料へ分注する（ステップ８０１０）。
【００８６】
このとき、図６に示すように、一定時間（例えば３０分間）、恒温部９００１により容器ラック１００３の全部または一部を恒温状態（例えば３７℃）として、微生物試料中の非微生物由来のＡＴＰを消去する（ステップ８０１１）。
【００８７】
（ステップ８０１０）〜（ステップ８０１１）の分注・恒温と並行して、回転板１００５は、反応容器１０４  Ｎｏ．１が光検出部２００３上へ位置するように回転し、光検出部２００３は、反応容器１０４  Ｎｏ．１のバックグラウンドノイズを計測する（ステップ８０１２）。
【００８８】
バックグラウンド検出の有無は、第１の実施形態で説明したのと同様にして、図９に例示されるような、フォトカウンティングの計測結果に基づいて判定する。反応容器１０４  Ｎｏ．１のバックグラウンドノイズの計測終了後、回転板１００５は反応容器１０４  Ｎｏ．２が光検出部２００３上へ位置するように回転する（ステップ８０１３）。再び、バックグラウンドノイズを計測する。これを反応容器１０４Ｎｏ．１６まで繰り返す。
【００８９】
バックグラウンドノイズが検出された反応容器１０４がある場合には（ステップ８０１４）、回転板１００５はバックグラウンドノイズが検出された反応容器１０４を再度光検出部２００３上へ位置するように回転して戻し、再びバックグラウンドノイズを計測する  （ステップ８０１５）。
【００９０】
一方、恒温部９００１による保持容器１０１（ＡＴＰ消去試薬と微生物試料の混合液）の恒温終了後、分注機構２００１は、制御部２０２０により制御されて、容器ラック１００３の第３の保持容器１０１ｃ内のＡＴＰ抽出試薬を分取し、第４の保持容器１０１ｄ内の微生物試料へ分注してＡＴＰを抽出する（ステップ８０１６）。
【００９１】
ＡＴＰ抽出が終了した時点で、バックグラウンドノイズが消えない反応容器のＮｏ．を記憶領域に格納し、当該反応容器への分注をスキップするように設定する（ステップ８０１７）。
【００９２】
一方、バックグラウンドノイズが検出された反応容器１０４がない場合には、上記（ステップ８０１５）、（ステップ８０１７）は省略し、ＡＴＰ抽出（ステップ８０１６）が終了した時点で、次のステップに移行する。
【００９３】
分注機構２００１は、制御部２０２０により制御されて、容器ラック１００３の第１の保持容器１０１ａ内の発光試薬を分取し、反応容器１０４  Ｎｏ．１へ分注する（ステップ８０１８）。
【００９４】
分注機構２００１は、制御部２０２０により制御されて、容器ラック１００３の第４の保持容器１０１ｄ内の微生物試料を分取し、発光試薬が収容されている反応容器１０４  Ｎｏ．１へ分注する（ステップ８０１９）。
【００９５】
発光試薬と試料との混合により生じた発光は光検出部２００３で計測される  （ステップ８０２０）。発光計測完了後、回転板１００５は反応容器１０４  Ｎｏ．２が光検出部２００３上へ位置するように回転する（ステップ８０２１）。
【００９６】
以降、記憶領域に格納された反応容器のＮｏ．以外の反応容器１０４への、発光試薬の分注（ステップ８０１８）及び微生物試料の分注（ステップ８０１９）、さらに発光計測（ステップ８０２０）を、Ｎｏ．  １６まで繰り返す。
【００９７】
次いで、計測が完了した反応容器１０４を廃棄する。図５に示すように、回転板１００５の回転の繰返しにより、発光計測が完了した反応容器１０４  Ｎｏ．１以降がシャッター１０１１へ達した時点で（ステップ８０２２）、シャッター１０１１が開き（ステップ８０２３）、反応容器１０４は、廃棄ボックス２０１２内へ廃棄される  （ステップ８０２４）。
【００９８】
反応容器１０４  Ｎｏ．１〜Ｎｏ．１６の全ての発光計測と廃棄が終了して、全工程が終了する  （ステップ８０２５）。
【００９９】
（第３実施形態）  
以下に、図１〜５及び図７に示す発光計測装置を用いた第３の実施形態に係る発光計測方法について、図１１に沿って説明する。
【０１００】
第３の実施形態は、各種試薬をそれぞれ各別に保持容器１０１に収容して容器ラック１００３に設置し、反応容器１０４に微生物試料を収容して回転板１００５上に設置する形態である。
【０１０１】
第３の実施形態は、分注機構２００１は試薬のみを分注し、微生物試料の分注を必要としない形態である。そして、回転板１００５上で、微生物試料を恒温処理可能な形態である。
【０１０２】
すなわち、第３の実施形態は、容器ラック１００３上に、発光試薬が収容された第１の保持容器１０１ａと、ＡＴＰ消去試薬が収容された第２の保持容器１０１ｂと、ＡＴＰ抽出試薬が収容された第３の保管容器１０１ｃと、を設置し、回転板１００５上に、微生物試料が収容された反応容器１０４を設置しておき、挿入口１００８を閉鎖後、第１の保持容器１０１ａ〜第３の保持容器１０１ｃ内の試薬を、微生物試料を収容する反応容器１０４内に分注する形態である。
【０１０３】
第３の実施形態によれば、反応容器１０４内に試料が収容された状態でバックグラウンド計測を行えるため、反応容器１０４だけでなく、発光試薬との混合前の試料単独の発光現象も確認することができる。また、第３の実施形態では、容器ラック１００３には試薬だけをセットすればよいため、容器ラック１００３の準備を簡易に行うことができる。
【０１０４】
作業者は、まず以下の手順で試薬と試料を遮光室１００６にセットする。
【０１０５】
まず、第１の保持容器１０１ａ内に発光試薬を収容し、第２の保持容器１０１ｂ内にＡＴＰ消去試薬を収容し、第３の保持容器１０１ｃ内にＡＴＰ抽出試薬を収容し、第１の保持容器１０１ａ〜第３の保持容器１０１ｃを、容器ラック１００３へ収める（ステップ１０００１）。
【０１０６】
次いで、この容器ラック１００３を遮光室１００６内に設置する。まず、図３に示すように、遮光室１００６の扉１００９を開く（ステップ１０００２）。
【０１０７】
第１の実施形態と同様にして容器ラック１００３を挿入口１００８から引き出し、スライド４００１上へ容器ラック１００３を載せる。容器ラック１００３を載せた状態で、スライド４００１を挿入口１００８側に押し込み、レール４００２上を移動させて、容器ラック１００３を挿入口１００８から、間隔１００７を有する反応容器１０４の間（反応容器１０４  Ｎｏ．１と反応容器１０４  Ｎｏ．１６との間）を通過させ、反応容器１０４が回転中に通過する領域の内側に設置する（ステップ１０００３）。扉１００９を閉じる  （ステップ１０００４）。
【０１０８】
次いで、遮光室１００６内に、反応容器１０４を設置する。まず、反応容器１０４内に、試料を収容する。  次いで、図４に示すように、遮光室１００６の小型扉１０１０を開く（ステップ１０００５）。回転ダイヤル１０１２で回転板１００５を回転させる（ステップ１０００６）。
【０１０９】
微生物試料を収めた反応容器１０４  Ｎｏ．１を反応容器設置部１００４  Ｎｏ．１に設置する（ステップ１０００７）。再び回転ダイヤル１０１２で回転板１００５を回転させ、微生物試料を収めた反応容器１０４  Ｎｏ．２を反応容器設置部１００４  Ｎｏ．２に設置する。これを反応容器１０４の個数分繰り返す。その後、小型扉１０１０を閉じる（ステップ１０００８）。
【０１１０】
次いで、作業者が発光計測を開始することで、以下のステップ（１００１０）〜（１００２５）は、制御部２０２０により自動で実行される（ステップ１０００９）。
【０１１１】
分注機構２００１は、制御部２０２０により制御されて、容器ラック１００３の第２の保持容器１０１ｂ内のＡＴＰ消去試薬を分取し、反応容器１０４内の微生物試料へ分注する  （ステップ１００１０）。
【０１１２】
図７に示すように、恒温部１１００１により、反応容器１０４を一定時間（例えば３０分間）恒温状態（例えば３７℃）として、微生物試料中の非微生物由来のＡＴＰを消去する（ステップ１００１１）。
【０１１３】
恒温処理終了後、分注機構２００１は、制御部２０２０により制御されて、容器ラック１００３の第３の保持容器１０１ｃ内のＡＴＰ抽出試薬を分取し、反応容器１０４内の微生物試料へ分注してＡＴＰを抽出する（ステップ１００１２）。
【０１１４】
図１に示すように、回転板１００５は、反応容器１０４  Ｎｏ．１が光検出部２００３上へ位置するように回転する（ステップ１００１３）。光検出部２００３は、反応容器１０４  Ｎｏ．１のバックグラウンドノイズを計測する  （ステップ１００１４）。
【０１１５】
［バックグラウンドノイズが検出されない場合］  
バックグラウンド検出の有無は、第１の実施形態で説明したのと同様にして、図９に例示されるような、フォトカウンティングの計測結果に基づいて判定する。
【０１１６】
図９に示すように、バックグラウンドノイズが検出されない場合、反応容器１０４  Ｎｏ．１は、そのままの位置に留まる（ステップ１００１５）。
【０１１７】
分注機構２００１は、制御部２０２０により制御されて、容器ラック１００３の第１の保持容器１０１ａ内の発光試薬を分取し、反応容器１０４  Ｎｏ．１へ分注する（ステップ１００１６）。
【０１１８】
発光試薬と反応容器１０４内の試料との混合により生じた発光は光検出部２００３で計測される（ステップ１００１７）。発光計測完了後、回転板１００５は、反応容器１０４  Ｎｏ．２が光検出部２００３上へ位置するように、回転する（ステップ１００１８）。再び、バックグラウンドノイズを計測する。これをＮｏ．１６まで繰り返す。
【０１１９】
［バックグラウンドノイズが検出された場合］  
図９に示すように、ノイズが検出された場合は（ステップ１００１９）、回転板１００５は反応容器１０４  Ｎｏ．２が光検出部２００３上へ位置するように回転し（ステップ１００１８）、反応容器１０４  Ｎｏ．１を退避させる。光検出部２００３は、反応容器１０４  Ｎｏ．２のバックグラウンドノイズを計測する  （ステップ１００１４）。
【０１２０】
反応容器１０４  Ｎｏ．２のノイズが検出されなかった場合（ステップ１００１５）、分注機構２００１は、制御部２０２０により制御されて、容器ラック１００３の第１の保持容器１０１ａ内の発光試薬を分取し、反応容器１０４  Ｎｏ．２へ分注する  （ステップ１００１６）。
【０１２１】
発光試薬と反応容器１０４内の試料との混合により生じた発光は光検出部２００３で計測される（ステップ１００１７）。発光計測完了後、未計測の退避させた反応容器１０４  Ｎｏ．１があるため（ステップ１００２０）、回転板１００５は、退避させた反応容器１０４  Ｎｏ．１を光検出部２００３上へ位置するように回転して戻す（ステップ１００２１）。再びバックグラウンドノイズを計測する（ステップ１００１４）。これを反応容器１０４Ｎｏ．１６まで繰り返す。
【０１２２】
次いで、計測が完了した反応容器１０４を廃棄する。図５に示すように、発光計測が完了した反応容器１０４  Ｎｏ．１以降がシャッター１０１１へ達した時点で（ステップ１００２２）、シャッター１０１１が開き（ステップ１００２３）、反応容器１０４  Ｎｏ．１は、廃棄ボックス２０１２内へ廃棄される（ステップ１００２４）。
【０１２３】
反応容器１０４Ｎｏ．１〜Ｎｏ．１６の全ての発光計測と廃棄が終了して、全工程が終了する  （ステップ１００２５）。
【０１２４】
以上の第１の実施形態〜第３の実施形態では、図１〜図７に示す発光計測装置にＡＴＰ発光法を適用した場合を例に説明したが、図１〜図７に示す発光計測装置は、必ずしもＡＴＰ発光法による発光計測への適用に限定されるものではない。
【０１２５】
（第１の実施形態〜第３の実施形態）  
次に、ノズルの洗浄工程について説明する。図１２は、ノズル洗浄時のノズル及び吸引部の動作について説明する図である。
【０１２６】
保持容器１０１内の試薬又は試料の少なくとも何れか１つを分取する前に、制御部２０２０によりアーム２００５を駆動し、ノズル２００４を筒状体２００６内のフィルター２００７上に導入する。
【０１２７】
次いで、制御部２０２０により吸引部２００８の吸引動作を開始する。吸引部２００８による吸引と並行して、ノズル２００４内に吸引された洗浄液を、三方弁２００９を経由してシリンジ２０１０により押し出し、筒状体２００６内のフィルター２００７上へ吐出する。これにより、ノズル２００４の内部を洗浄する。フィルター２００７上の洗浄液は、吸引部２００８の吸引により、筒状体２００６外に速やかに排出される（図１２Ａ）。
【０１２８】
続いて、制御部２０２０により吸引部２００８を停止する。再びシリンジ２０１０の押し出しを行うことで、ノズル２００４内に吸引された洗浄液を筒状体２００６内のフィルター２００７上へ吐出する。吸引部２００８を停止しているため、フィルター２００７上に吐出された洗浄液１２００１はフィルター２００７上に留まる。この洗浄液１２００１にノズル２００４の先端を導入することで、ノズル２００４の外壁を洗浄する（図１２Ｂ）。
【０１２９】
その後、ノズル２００４により保持容器１０１内の試薬又は試料の少なくとも何れか１つを分取しているときも、吸引部２００８の吸引は引き続き停止しているため、洗浄液１２００１は、フィルター２００７の抵抗によりフィルター２００７上に留まり続ける（図１２Ｃ）。
【０１３０】
続いて、制御部２０２０によりアーム２００５を駆動して、ノズル２００４により保持容器１０１内の試薬又は試料の少なくとも何れか１つを分取し、分取した試薬又は試料を反応容器１０４に分注した後、ノズル２００４を再度筒状体２００６上に移動させ、その先端を洗浄液１２００１内へ導入する。これにより、試薬又は試料の少なくとも何れかが付着したノズル２００４の外壁を洗浄する（図１２Ｄ）。
【０１３１】
ノズル２００４外壁の洗浄後、制御部２０２０により吸引部２００８の吸引動作を開始することで、フィルター２００７上の洗浄水を排出する（図１２Ｅ）。ノズル２００４は、分取した試薬と試料の少なくとも何れか１つを分注し、再び、ノズル２００４内の洗浄（図１２Ａ）を開始する。
【０１３２】
これにより、作業者による実作業を介することなく、遮光環境と清浄空間を維持したまま、分注機構２００１の内外の洗浄が可能となる。また、洗浄液の使用量を最少限に止めて行うことができ、洗浄に伴う消耗部材も不要である。
【０１３３】
以上説明した実施形態に係る発光計測装置によれば、挿入口１００８を開けることなく、遮光室１００６を密閉したまま、保持容器１０１内の試薬又は試料の反応容器１０４への分注や、回転板１００５の回転、反応容器１０４の廃棄を行うことができる。このため、試料容器由来の発光（バックグラウンドノイズ）を防止することができ、また作業者からの汚染を防止することができる。このため、生細胞や死細胞、細菌や真菌（酵母・カビ等）、芽胞や胞子、非芽胞、好気性や嫌気性、グラム陰性やグラム陽性などの菌を、直接、または試料に含まれた状態で、多品種を短時間で高感度に発光計測することができる。
【０１３４】
また、実施形態に係る発光計測装置によれば、試料又は試薬が収められた容器ラック１００３は、回転板１００５の内側の領域に収められるとともに、発光計測の対象外となった反応容器１０４や、発光計測済みの反応容器１０４は、自動的に一箇所（廃棄ボックス２０１２）に破棄される。このため、装置全体を小型化し易く、遮光管理や清浄度管理を行い易い。従って、試料容器由来のバックグラウンドノイズを防止することができ、測定環境や作業者からの汚染の無い、高感度な発光計測を行うことが可能となるとともに、清浄度管理に必要な電力や空間を削減することができる。このため、汚染リスクを最小化することができる。
【０１３５】
また、以上説明した実施形態に係る発光計測装置によれば、光検出部２００３による発光検出時に、試料容器由来の発光が検出されても、試料を収めたまま、反応容器１０４を遮光環境で一時的に退避させることが可能である。この際、反応容器１０４は遮光環境で保持されるため、反応容器１０４を発光させる光のさらなる侵入は防止されており、また、反応容器１０４由来の光の消光を再度確認することが可能である。このため、消光した反応容器１０４に関しては、反応容器１０４や試料の廃棄（喪失）、及び試料の入れ替えが不要となり、多品種を短時間で、高感度にかつ効率的に発光計測することができる。
【符号の説明】
【０１３６】
１０１…保持容器、１００１…保持容器設置部、１００３…容器ラック、１０４（Ｎｏ．１〜Ｎｏ．１６）…反応容器、１０４（Ｎｏ．１〜Ｎｏ．１６）…反応容器設置部、１００５…回転板、１００６…遮光室、１００７…間隔、１００８…挿入口、１００９…扉、１０１０…小扉、１０１１…シャッター、１０１２…回転ダイヤル、１０１３…集光鏡、１１００…回転板支持板、２００１…分注機構、２００２…開口部、２００３…光検出部、２００４…ノズル、２００５…アーム、２００６…筒状体、２００７…フィルター、２００８…吸引部、２００９…三方弁、２０１０…シリンジ、２０１１…洗浄液タンク、２０１２…反応廃棄ボックス、２０１３…光検出部保護材、２０１４…回転板回転部、２０２０…分注機構制御部、２０２１…チューブ、２０２２…隔壁、２０２３…吸引管、４００１…スライド、４００２…レール、４００３…支持台、４００４…支柱、４００５…支柱回避孔、９００１…恒温部、１１００１…恒温部、１２００１…洗浄液
【図１】
2016174766.tif 000003
【図２】
2016174766.tif 000004
【図３】
2016174766.tif 000005
【図４】
2016174766.tif 000006
【図５】
2016174766.tif 000007
【図６】
2016174766.tif 000008
【図７】
2016174766.tif 000009
【図８】
2016174766.tif 000010
【図９】
2016174766.tif 000011
【図１０】
2016174766.tif 000012
【図１１】
2016174766.tif 000013
【図１２】
2016174766.tif 000014
【国際調査報告】
2016174766.tif 000015
2016174766.tif 000016
2016174766.tif 000017
2016174766.tif 000018